【事件の表示】
　特願２０１６−　８１３５７号「遊技機」拒絶査定不服審判事件〔平成２８年　７月１４日出願公開、特開２０１６−１２８１２１号〕について、次のとおり審決する。
【結　論】
　本件審判の請求は、成り立たない。
【理　由】
（１）手続の経緯
　本願は、平成２１年１２月２５日に出願した特願２００９−２９６２９３号の一部を平成２７年６月１６日に新たな特許出願（特願２０１５−１２０８６４号）とし、さらにその一部を平成２８年４月１４日に新たな特許出願（特願２０１６−８１３５７号）としたものであって、平成２８年１０月２４日付けで拒絶の理由が通知され、平成２８年１２月２６日に意見書及び手続補正書が提出されたところ、平成２９年４月５日付け（発送日：平成２９年４月１８日）で拒絶査定がなされ、それに対して、平成２９年７月１４日に拒絶査定不服審判の請求がなされると同時に手続補正がなされ、これに対し、当審において、平成３０年２月２２日付けで拒絶の理由が通知され、平成３０年４月２５日に意見書及び手続補正書が提出されたものである。
（２）本願発明　
 　平成３０年４月２５日付け手続補正は、特許請求の範囲を補正する内容を含んでおり、当該補正後の特許請求の範囲の請求項１に係る発明は次のとおりのものである。（以下、「本願発明」という。Ａ〜Ｈは分説のため当審にて付した。）
「Ａ　遊技が可能な遊技機であって、
Ｂ　３つのリール体と、
Ｃ　前記３つのリール体を保持し、前面が開口するリール体保持部材と、
Ｄ　前記リール体保持部材の上部に設けられ、前記３つのリール体各々から延びる配線が接続される複数のコネクタを有する基板と、
　を備え、
Ｅ　前記複数のコネクタのうち２つのコネクタは、前記基板の一側方寄りに設けられ、
Ｆ　前記３つのリール体各々は、リール、該リールを回転させるリールモータ及び該リールモータを一面に支持するリール支持板を有し、該リール支持板における前記リールモータよりも上方には、該リールモータの配線を前記一面側から他面側に引出すための配線引出穴と、該他面側に引出した配線を上方に向けて延出した状態で保持する配線押えと、が設けられ、
Ｇ　前記リール体保持部材の内側底面には、前記リール支持板の前後方向への移動を案内する案内部が設けられている
Ｈ　ことを特徴とする遊技機。」　
（３）当審の平成３０年２月２２日付け拒絶理由の概要
　当審の平成３０年２月２２日付け拒絶理由（以下、「当審拒絶理由」という。）の概要は、以下のとおりである。
刊行物１：特開２００５−３３４３２０号公報
刊行物２：特開平４−３４１２８８号公報 
刊行物３：特開２００６−２１２１６８号公報 
ア　この出願の請求項１に係る発明は、刊行物１に記載された発明と、刊行物２に記載された事項とに基いて、その出願前にその発明の属する技術の分野における通常の知識を有する者が容易に発明をすることができたものであるから、特許法第２９条第２項の規定により特許を受けることができない。
イ　この出願の請求項１に係る発明は、刊行物１に記載された発明と、刊行物２に記載された事項と、刊行物３に記載された事項とに基いて、その出願前にその発明の属する技術の分野における通常の知識を有する者が容易に発明をすることができたものであるから、特許法第２９条第２項の規定により特許を受けることができない。
（４）刊行物
（４−１）刊行物１
　本願の出願遡及日前に頒布され、当審拒絶理由において刊行物１として提示された刊行物である特開２００５−３３４３２０号公報（以下、引き続き「刊行物１」という。）には、図面とともに次の事項が記載されている（下線は当審にて付した。以下、同じ。）。
ア「【技術分野】
【０００１】
　本発明は、筐体内に、複数の識別情報を変動表示可能なリールユニットを設けた遊技機に関する。」
イ「【００１６】
　
遊技機(１)としてのスロットマシン
ウ「【００２１】
　リールユニット(６)は、外周面に識別情報が印刷または貼付された左、中、右の
３個の回転リール(6a)
エ「【００３１】
　主に図４及び図６に示すように、
リール枠体(61)は、底部を形成する底板部(61a)、上部を形成する天板部(61b)、側部を形成する両側板部(61c)(61d)及び後部を形成する後板部(61e)とを有する、前面が開放する正面視矩形をなし、両側板部(61c)(61d)間には、
各回転リール(6a)がそれぞれ回転可能に枢支され
各回転リール(6a)の内側には、各回転リール(6a)を回転させるための各モータ(10)が収容されている。
オ「【００４２】
　
リール枠体(61)の天板部(61b)には、
回転リール制御基板(11)
が横置きに載置されている。回転リール制御基板(11)の上面には、
各モータ(10)に電気的接続ケーブルにより接続される３個のモータ出力コネクタ(112)〜(114)が設けられている。
　図面に関して、以下の事項が導かれる。
カ　図６からは、
３個のモータ出力コネクタ(112)〜(114)のうち、モータ出力コネクタ(112)及びモータ出力コネクタ(113)は、回転リール制御基板(11)の一側方寄りに設けられ
　上記ア〜オの記載事項から、以下の事項が導かれる。
あ　上記段落【００２１】の「３個の回転リール(6a)」との記載、上記段落【００３１】の「各回転リール(6a)の内側には、各回転リール(6a)を回転させるための各モータ(10)が収容されている。」との記載より、刊行物１には、
３個の回転リール(6a)と、各回転リール(6a)の内側に収容され、各回転リール(6a)を回転させるための各モータ(10)
い　上記段落【００２１】の「３個の回転リール(6a)」との記載、上記段落【００３１】の「リール枠体(61)は、・・・前面が開放する正面視矩形をなし、両側板部(61c)(61d)間には、・・・、各回転リール(6a)がそれぞれ回転可能に枢支され」、「各回転リール(6a)の内側には、各回転リール(6a)を回転させるための各モータ(10)が収容されている。」との記載より、刊行物１には、
両側板部(61c)(61d)間に、内側に各回転リール(6a)を回転させるための各モータ(10)が収容された３個の回転リール(6a)をそれぞれ回転可能に枢支し、前面が開放するリール枠体(61)
う　上記段落【００４２】の「リール枠体(61)の天板部(61b)には、・・・回転リール制御基板(11)・・・が横置きに載置されている。回転リール制御基板(11)の上面には、・・・各モータ(10)に電気的接続ケーブルにより接続される３個のモータ出力コネクタ(112)〜(114)が設けられている。」との記載より、刊行物１には、リール枠体(61)の天板部(61b)に載置され、各モータ(10)に電気的接続ケーブルにより接続される３個のモータ出力コネクタ(112)〜(114)が設けられている、回転リール制御基板(11)が記載されているといえる。
　また、上記「各モータ(10)に電気的接続ケーブルにより接続される３個のモータ出力コネクタ(112)〜(114)」は、各モータ(10)からの電気的接続ケーブルが接続される３個のモータ出力コネクタ(112)〜(114)と言い換えることができる。
　したがって、刊行物１には、
リール枠体(61)の天板部(61b)に載置され、各モータ(10)からの電気的接続ケーブルが接続される３個のモータ出力コネクタ(112)〜(114)が設けられている、回転リール制御基板(11)
　上記ア〜オの記載事項、上記カの図面に関する認定事項、及び上記あ〜うの認定事項より、刊行物１には、次の発明（以下、「刊行物１発明」という。）が記載されていると認められる（記号ａ〜ｈは、本願発明の記号Ａ〜Ｈに対応させて付した。）。
「ａ　遊技機(１)としてのスロットマシンであって、（段落【００１６】）
ｂ、ｆ’３個の回転リール(6a)と、各回転リール(6a)の内側に収容され、各回転リール(6a)を回転させるための各モータ(10)と、（認定事項あ）
ｃ　両側板部(61c)(61d)間に、内側に各回転リール(6a)を回転させるための各モータ(10)が収容された３個の回転リール(6a)をそれぞれ回転可能に枢支し、前面が開放するリール枠体(61)と、（認定事項い）
ｄ　リール枠体(61)の天板部(61b)に載置され、各モータ(10)からの電気的接続ケーブルが接続される３個のモータ出力コネクタ(112)〜(114)が設けられている、回転リール制御基板(11)と、（認定事項う）
　を備え、
ｅ　３個のモータ出力コネクタ(112)〜(114)のうち、モータ出力コネクタ(112)及びモータ出力コネクタ(113)は、回転リール制御基板(11)の一側方寄りに設けられ、（図面に関する認定事項カ）
ｇ’リール枠体(61)は、底部を形成する底板部(61a)、上部を形成する天板部(61b)、側部を形成する両側板部(61c)(61d)及び後部を形成する後板部(61e)とを有する、前面が開放する正面視矩形をなす、（段落【００３１】）
ｈ　スロットマシン。（段落【００１６】）」　
（４−２）刊行物２
　本願の出願遡及日前に頒布され、当審拒絶理由において刊行物２として提示された刊行物である特開平４−３４１２８８号公報（以下、引き続き「刊行物２」という。）には、図面とともに次の事項が記載されている。
ア「【０００９】次に、図４及び図５を参照して、ドラム収納箱１５の内部構造について説明すると、ドラム収納箱１５は、前面が開放した直方体状に形成され、その左側空間に左ドラム機構１６が配置され、その右側空間に右ドラム機構１７が配置される。また、左ドラム機構１６と右ドラム機構１７とに挟まれるように、１つのディジタル表示器１８が配置されている。また、ドラム収納箱１５の後面側には、プリント配線基板１９と端子基板２０とが設けられている。プリント配線基板１９には、左ドラム機構１６及び右ドラム機構１７の後述する外側回転ドラム３０、３０ａ、内側回転ドラム３１、３１ａの外周の一部に対面するように停止位置検出器２１〜２４が設けられている。この停止位置検出器２１〜２４は、光り検出型のスイッチで構成され、各回転ドラム３０、３０ａ、３１、３１ａの外周一部に貼付される反射板（図示しない）を検出することにより、後述する駆動モータ３３、３７（ステッピングモータ）のステップ数をリセットし、引いては回転ドラムの停止位置を検出するようになっている。また、
端子基板２０
モータ配線
３９
のコネクタ端子
を
接続する端子
が設けられている
・・・
【００１１】また、
内側回転ドラム３１
モータ取付板３６に止着される駆動モータ３７
のモータ軸３８に固着されている
駆動モータ３７からは、モータ用配線３９が引き出されてモータ取付板３６の下部後端から後方へ延設されている
【００１２】ところで、照射ランプ装置４０からは、ランプ用配線４３が引き出されてモータ取付板３６の上部後端から後方へ延設されるが、モータ取付板３６への取付が回転ドラム３０、３１の回転の邪魔とならないような構造となっている。即ち、
モータ取付板３６は、上部後端寄りに開設した貫通穴４４からその隅角部に向かって凹部４５をプレス加工され、その凹部４５の途中に係止穴４６が形成される。
照射ランプ装置４０から延びるランプ用配線４３を、まず貫通穴４４を貫通させてモータ取付板３６の後方に通し、その後、凹部４５内に敷設する。
敷設した状態でモータ取付板３６の後方からコ字状の係止金具４７を係止穴４６に差し込み、その両端片である折曲片４８ａ，４８ｂをモータ取付板３６の前面側で左右に折り曲げて係止穴４６の開口縁に係止させる。これにより、ランプ用配線４３をモータ取付板３６に密着した状態で係止することができる
ランプ用配線４３だけでなく前記モータ用配線３５、３９も同じ構造によってそれぞれモータ取付板３２、３６に密着して取り付けられている。
イ「【００１７】なお、上記した実施例では、外側回転ドラムと内側回転ドラムとからなるドラム機構（以下、Ｗドラム機構という）を２つ有し、ディジタル表示器を１つ有する可変表示装置１０を例示したが、すべてをＷドラム機構とした可変表示装置であっても良いし、１つのＷドラム機構だけを含む可変表示装置であっても良い。また、Ｗドラム機構と従来のシングルドラム機構とを組合せた可変表示装置であっても良い。また、回転部材として筒状のドラム構造のものではなく、前後方向に重複する円盤状のものでも良いし、ベルト状の回転部材、又はこれらを組合せた回転部材としても良い。更に、重複する回転部材を同心状に配置する必要はなく、要は、遊技者に視認できる位置でそれぞれの回転部材に形成される表示要素が合成されるようになっていれば良い。また、回転部材の外周面に形成される表示要素として、実施例のような数値情報や着色フィルタだけでなく、図柄情報や他の表示情報であっても良い。例えば、外側回転部材に数値情報や図柄情報を表示し、内側回転部材に当りとなる有効ライン表示情報を表示することが考えられる。
更に、
上記実施例においては、可変表示装置１０を弾球遊技機に応用した例を示したが、回胴式遊技機に応用しても良い。
　上記アの記載事項から、図面に関して以下の事項が導かれる。
ウ　上記段落【００１１】の「モータ取付板３６に止着される駆動モータ３７」との記載をふまえれば、図５には、
モータ取付板３６の一面に止着される駆動モータ３７
　上記ア、イの記載事項から、以下の事項が導かれる。
あ　上記段落【０００９】に記載された「モータ配線３９」が、上記段落【００１１】に記載された「モータ用配線３９」と同じ構成であることは、自明である。
い　
い−１　上記段落【００１２】の「モータ取付板３６は、上部後端寄りに開設した貫通穴４４からその隅角部に向かって凹部４５をプレス加工され、その凹部４５の途中に係止穴４６が形成される。」、「照射ランプ装置４０から延びるランプ用配線４３を、まず貫通穴４４を貫通させてモータ取付板３６の後方に通し、その後、凹部４５内に敷設する。」、「敷設した状態でモータ取付板３６の後方からコ字状の係止金具４７を係止穴４６に差し込み、その両端片である折曲片４８ａ，４８ｂをモータ取付板３６の前面側で左右に折り曲げて係止穴４６の開口縁に係止させる。これにより、ランプ用配線４３をモータ取付板３６に密着した状態で係止することができる」との記載より、刊行物２には、「ランプ用配線４３」の「モータ取付板３６」への取付に関する構造について、「モータ取付板３６は、開設した貫通穴からその隅角部に向かって凹部をプレス加工され、その凹部の途中に係止穴が形成され、照射ランプ装置４０から延びるランプ用配線４３を、まず貫通穴を貫通させてモータ取付板３６の後方に通し、その後、凹部内に敷設し、敷設した状態でモータ取付板３６の後方からコ字状の係止金具を係止穴に差し込み、その両端片である折曲片をモータ取付板３６の前面側で左右に折り曲げて係止穴の開口縁に係止させることにより、ランプ用配線４３をモータ取付板３６に密着した状態で係止することができる」ことが記載されているといえる。
い−２　上記段落【００１２】には「ランプ用配線４３だけでなく前記モータ用配線３５、３９も同じ構造によってそれぞれモータ取付板３２、３６に密着して取り付けられている。」と記載され、「モータ用配線３９」の「モータ取付板３６」への取付に関する構造が、「ランプ用配線４３」の「モータ取付板３６」への取付に関する構造と同じ構造であることが記載されている。
　そうすると、上記い−１で検討した「ランプ用配線４３」の「モータ取付板３６」への取付に関する構造についての記載は、「モータ用配線３９」の「モータ取付板３６」への取付に関する構造にもそのまま当てはまるといえる。
　そして、上記段落【００１２】の「照射ランプ装置４０からは、ランプ用配線４３が引き出されてモータ取付板３６の上部後端から後方へ延設される」との記載より、「ランプ用配線４３」は「照射ランプ装置４０」から引き出されて延設されるのに対して、上記段落【００１１】の「駆動モータ３７からは、モータ用配線３９が引き出されてモータ取付板３６の下部後端から後方へ延設されている」との記載より、「モータ用配線３９」は「駆動モータ３７」から引き出されて延設されることから、「ランプ用配線４３」の「モータ取付板３６」への取付に関する構造と、「モータ用配線３９」の「モータ取付板３６」への取付に関する構造との間では、「ランプ用配線４３」、「照射ランプ装置４０」がそれぞれ、「モータ用配線３９」、「駆動モータ３７」と対応関係にある。
い−３　上記い−２での検討より、上記い−１で検討した「ランプ用配線４３」の「モータ取付板３６」への取付に関する構造についての記載は、そのまま「ランプ用配線４３」を「モータ用配線３９」に、「照射ランプ装置４０」を「駆動モータ３７」にそれぞれ置換することができて、刊行物２には、
モータ取付板３６は、開設した貫通穴からその隅角部に向かって凹部をプレス加工され、その凹部の途中に係止穴が形成され、駆動モータ３７から延びるモータ用配線３９を、まず貫通穴を貫通させてモータ取付板３６の後方に通し、その後、凹部内に敷設し、敷設した状態でモータ取付板３６の後方からコ字状の係止金具を係止穴に差し込み、その両端片である折曲片をモータ取付板３６の前面側で左右に折り曲げて係止穴の開口縁に係止させることにより、モータ用配線３９をモータ取付板３６に密着した状態で係止することができる
う　上記段落【００１７】の「上記実施例においては、可変表示装置１０を弾球遊技機に応用した例を示したが、回胴式遊技機に応用しても良い。」との記載より、刊行物２には、
回胴式遊技機
　上記ア〜イの記載事項、上記ウの図面に関する認定事項、及び上記あ〜うの認定事項より、刊行物２には次の事項が記載されていると認められる（以下、「刊行物２記載事項」という。）。
「モータ取付板３６の一面に止着される駆動モータ３７のモータ軸３８に固着されている内側回転ドラム３１と、（段落【００１１】、図面に関する認定事項ウ）
　駆動モータ３７から引き出され、モータ取付板３６の下部後端から後方へ延設されているモータ用配線３９と、（段落【００１１】）
　モータ用配線３９のコネクタ端子を接続する端子が設けられている端子基板２０と、（段落【０００９】、認定事項あ）
を備え、
　モータ取付板３６は、開設した貫通穴からその隅角部に向かって凹部をプレス加工され、その凹部の途中に係止穴が形成され、駆動モータ３７から延びるモータ用配線３９を、まず貫通穴を貫通させてモータ取付板３６の後方に通し、その後、凹部内に敷設し、敷設した状態でモータ取付板３６の後方からコ字状の係止金具を係止穴に差し込み、その両端片である折曲片をモータ取付板３６の前面側で左右に折り曲げて係止穴の開口縁に係止させることにより、モータ用配線３９をモータ取付板３６に密着した状態で係止することができる、（認定事項い）
回胴式遊技機。（認定事項う）」
（４−３）刊行物３
　本願の出願遡及日前に頒布され、当審拒絶理由において刊行物３として提示された刊行物である特開２００６−２１２１６８号公報（以下、引き続き「刊行物３」という。）には、図面とともに次の事項が記載されている。
ア「【００１２】
　図１は本発明にかかるリールユニットの一実施形態を備えたスロットマシンの外観を示す斜視図である。この
スロットマシン１
・・・
【００１７】
　リールユニット５１の
支持枠体５３
天板部５３ａと底板部５３ｂと右枠部５３ｃと左枠部５３ｄとから構成され
支持枠体５３
各リール１３Ｌ，１３Ｍ，１３Ｒを
支持し
支持枠体５３
モータ５７Ｌ，５７Ｍ，５７Ｒを支持し
支持枠体５３の天板部５３ａに
基板６１
配設され
【００１８】
　図１２において、基板６１の左半部のほぼ中央と右半部のほぼ中央とには、それぞれねじを通すための丸孔６１１Ｌ，６１１Ｒが透設されている。そして、丸孔６１１Ｌが通る線を左辺とし、丸孔６１１Ｒが通る線を右辺とする所定サイズの矩形領域６１２を除く領域に、制御回路５９を構成する電子部品６５，６５，…や制御回路５９と外部の電子回路とを接続するための
コネクタ６７，６７，…
　図面に関して、以下の事項が導かれる。
イ　図１１、図１２からは、
３つの同種のコネクタ６７，６７，…のうち２つのコネクタは、基板６１の左半部側の側方寄りに設けられ、１つのコネクタは、基板６１の右半部側の側方寄りに設けられること
　上記アの記載事項、及び上記イの図面に関する認定事項より、刊行物３には次の事項が記載されていると認められる（以下、「刊行物３記載事項」という。）。
「３つの同種のコネクタ６７，６７，…のうち２つのコネクタは、天板部５３ａと底板部５３ｂと右枠部５３ｃと左枠部５３ｄとから構成され各リール１３Ｌ，１３Ｍ，１３Ｒ及びモータ５７Ｌ，５７Ｍ，５７Ｒを支持する支持枠体５３の天板部５３ａに配設された基板６１の左半部側の側方寄りに設けられ、１つのコネクタは、基板６１の右半部側の側方寄りに設けられた、スロットマシン１。」
（５）対比
　本願発明と刊行物１発明とを対比する（下記の（ａ）〜（ｈ）は、刊行物１発明の構成ａ〜ｈに対応している。）。
（ａ）刊行物１発明の「遊技機(１)としてのスロットマシン」において遊技が可能であることは明らかであるから、刊行物１発明の「遊技機(１)としてのスロットマシン」は、本願発明の「遊技が可能な遊技機」に相当する。
（ｂ）刊行物１発明は、「３個の回転リール(6a)」を備え、かつ「各回転リール(6a)を回転させるための各モータ(10)」が「各回転リール(6a)の内側に収容され」るものであるから、「各回転リール(6a)」と、その内側に収容される「各回転リール(6a)を回転させるための各モータ(10)」とからなる一体の組を、３つ備えているといえる。
　また、「各モータ(10)」は「各回転リール(6a)の内側に収容」されるのであるから、上記「３つ」の「一体の組」の各々が「各モータ(10)」を支持する何らかの支持板を有することは自明である。
　したがって、上記「一体の組」は、本願発明の「リール体」に相当する。
　よって、刊行物１発明において、上記「３つ」の「一体の組」をなす「３個の回転リール(6a)と、各回転リール(6a)の内側に収容され、各回転リール(6a)を回転させるための各モータ(10)」は、本願発明の「３つのリール体」に相当する。
（ｃ）上記（ｂ）での検討より、刊行物１発明の「３個の回転リール(6a)と、各回転リール(6a)の内側に収容され、各回転リール(6a)を回転させるための各モータ(10)」（構成ｂ、ｆ’）が、本願発明の「３つのリール体」に相当することをふまえると、刊行物１発明において「両側板部(61c)(61d)間に、内側に各回転リール(6a)を回転させるための各モータ(10)が収容された３個の回転リール(6a)をそれぞれ回転可能に枢支」することは、本願発明において「前記３つのリール体を保持」することに相当する。
　また、刊行物１発明の「前面が開放する」は、本願発明の「前面が開口する」に相当する。
　したがって、刊行物１発明の「両側板部(61c)(61d)間に、内側に各回転リール(6a)を回転させるための各モータ(10)が収容された３個の回転リール(6a)をそれぞれ回転可能に枢支し、前面が開放するリール枠体(61)」は、本願発明の「前記３つのリール体を保持し、前面が開口するリール体保持部材」に相当する。
（ｄ）刊行物１発明の「各モータ(10)からの電気的接続ケーブル」における「各モータ(10)」は、上記（ｂ）での検討より、「各回転リール(6a)」と「各モータ(10)」とからなる「３つ」の「一体の組」の各々を構成している。また、上記（ｂ）での検討より、当該「一体の組」は本願発明の「リール体」に相当する。したがって、刊行物１発明の「各モータ(10)からの電気的接続ケーブル」は、本願発明の「前記３つのリール体各々から延びる配線」に相当する。
　刊行物１発明の「３個のモータ出力コネクタ(112)〜(114)」、「回転リール制御基板(11)」は、それぞれ本願発明の「複数のコネクタ」、「基板」に相当する。
　刊行物１発明の「リール枠体(61)の天板部(61b)に載置され」は、本願発明の「前記リール体保持部材の上部に設けられ」に相当する。
　以上より、刊行物１発明の「リール枠体(61)の天板部(61b)に載置され、各モータ(10)からの電気的接続ケーブルが接続される３個のモータ出力コネクタ(112)〜(114)が設けられている、回転リール制御基板(11)」は、本願発明の「前記リール体保持部材の上部に設けられ、前記３つのリール体各々から延びる配線が接続される複数のコネクタを有する基板」に相当する。
（ｅ）刊行物１発明の「３個のモータ出力コネクタ(112)〜(114)」、「モータ出力コネクタ(112)及びモータ出力コネクタ(113)」、「回転リール制御基板(11)の一側方寄り」は、それぞれ本願発明の「前記複数のコネクタ」、「２つのコネクタ」、「前記基板の一側方寄り」に相当する。
　したがって、刊行物１発明において「３個のモータ出力コネクタ(112)〜(114)のうち、モータ出力コネクタ(112)及びモータ出力コネクタ(113)は、回転リール制御基板(11)の一側方寄りに設けられ」ることは、本願発明において「前記複数のコネクタのうち２つのコネクタは、前記基板の一側方寄りに設けられ」ることに相当する。
（ｆ）上記（ｂ）での検討より、刊行物１発明において「３つ」の「一体の組」をなす「３個の回転リール(6a)と、各回転リール(6a)の内側に収容され、各回転リール(6a)を回転させるための各モータ(10)」は、本願発明の「３つのリール体」に相当する。
　また、上記（ｂ）での検討より、上記「３つ」の「一体の組」の各々は、「各回転リール(6a)」と「各回転リール(6a)を回転させるための各モータ(10)」とからなるのであるから、「各回転リール(6a)」、及び「各回転リール(6a)を回転させるための各モータ(10)」を有していることは自明であり、刊行物１発明の当該「各回転リール(6a)」、「各回転リール(6a)を回転させるための各モータ(10)」は、それぞれ本願発明の「リール」、「該リールを回転させるリールモータ」に相当する。
　さらに、上記（ｂ）での検討より、上記「３つ」の「一体の組」の各々が「各モータ(10)」を支持する何らかの支持板を有することは自明である。
　したがって、刊行物１発明において「３個の回転リール(6a)と、各回転リール(6a)の内側に収容され、各回転リール(6a)を回転させるための各モータ(10)」を備えることは、本願発明において「前記３つのリール体各々は、リール、該リールを回転させるリールモータ及び該リールモータを」「支持する」「支持板を有し」ていることに相当する。
　よって、刊行物１発明において「３個の回転リール(6a)と、各回転リール(6a)の内側に収容され、各回転リール(6a)を回転させるための各モータ(10)」を備えることは、本願発明の「前記３つのリール体各々は、リール、該リールを回転させるリールモータ及び該リールモータを一面に支持するリール支持板を有し、該リール支持板における前記リールモータよりも上方には、該リールモータの配線を前記一面側から他面側に引出すための配線引出穴と、該他面側に引出した配線を上方に向けて延出した状態で保持する配線押えと、が設けられ」ることと、「前記３つのリール体各々は、リール、該リールを回転させるリールモータ及び該リールモータを」「支持する」「支持板を有し」ている点で共通する。
（ｇ）刊行物１発明の「リール枠体(61)」は、「底部を形成する底板部(61a)、上部を形成する天板部(61b)、側部を形成する両側板部(61c)(61d)及び後部を形成する後板部(61e)とを有する、前面が開放する正面視矩形をなす」から、上記「底板部(61a)」の上面は、「リール枠体(61)」の内側底面をなすといえる。
　したがって、刊行物１発明の「リール枠体(61)は、底部を形成する底板部(61a)、上部を形成する天板部(61b)、側部を形成する両側板部(61c)(61d)及び後部を形成する後板部(61e)とを有する、前面が開放する正面視矩形をなす」ことは、本願発明の「前記リール体保持部材の内側底面には、前記リール支持板の前後方向への移動を案内する案内部が設けられている」ことと、「前記リール体保持部材」が「内側底面」を有する点で共通する。
（ｈ）刊行物１発明の「スロットマシン」は、本願発明の「遊技機」に相当する。
　上記（ａ）〜（ｈ）の対比より、本願発明と刊行物１発明とは、次の点で一致している。
「Ａ　遊技が可能な遊技機であって、
Ｂ　３つのリール体と、
Ｃ　前記３つのリール体を保持し、前面が開口するリール体保持部材と、
Ｄ　前記リール体保持部材の上部に設けられ、前記３つのリール体各々から延びる配線が接続される複数のコネクタを有する基板と、
　を備え、
Ｅ　前記複数のコネクタのうち２つのコネクタは、前記基板の一側方寄りに設けられ、
Ｆ’前記３つのリール体各々は、リール、該リールを回転させるリールモータ及び該リールモータを支持する支持板を有し、
Ｇ’前記リール体保持部材は内側底面を有する、
Ｈ　遊技機。」 
 
　そして、本願発明と刊行物１発明とは、次の点で相違している。
（相違点１）
　「リールモータを支持する支持板」に関して、本願発明は、「リールモータを一面に支持するリール支持板」であり、「前記リールモータよりも上方には、該リールモータの配線を前記一面側から他面側に引出すための配線引出穴と、該他面側に引出した配線を上方に向けて延出した状態で保持する配線押えと、が設けられている」のに対して、刊行物１発明は、そのような特定がなされていない点。（構成Ｆ）
（相違点２）
　「リール体保持部材の内側底面」に関して、本願発明は、「前記リール支持板の前後方向への移動を案内する案内部が設けられている」のに対して、刊行物１発明は、そのような特定がなされていない点。（構成Ｇ）
（６）当審の判断
ア　上記相違点１について検討する。 
（ア）上記（４−２）では、刊行物２記載事項を認定したところであるが、まず、本願発明と当該刊行物２記載事項との対応関係について検討する。
　刊行物２記載事項の「内側回転ドラム３１」は、本願発明の「回転」する「リール」と、回胴式遊技機で用いられる回転体である点で共通し、刊行物２記載事項の「駆動モータ３７」は、本願発明の「リールモータ」と、当該回転体を回転させるモータである点で共通する。
　刊行物２記載事項の「駆動モータ３７」が「一面に止着される」「モータ取付板３６」は、本願発明の「該リールモータを一面に支持するリール支持板」と、上記回転体を回転させるモータを一面に支持する板である点で共通する。
　刊行物２記載事項の「貫通穴」は、「モータ用配線３９を、まず貫通穴を貫通させてモータ取付板３６の後方に通」すものであるから、本願発明の「該リールモータの配線を前記一面側から他面側に引出すための配線引出穴」と、上記回転体を回転させるモータの配線を、モータを支持する一面側から他面側に引出すための穴である点で共通する。
　刊行物２記載事項の「係止金具」は、「貫通穴を貫通させてモータ取付板３６の後方に通し」た「モータ用配線３９」を、「モータ取付板３６に密着した状態で係止することができる」ものであるから、本願発明の「該他面側に引出した配線を上方に向けて延出した状態で保持する配線押え」と、他面側に引出した配線を延出した状態で保持する配線押えである点で共通する。
（イ）次に、刊行物１発明と刊行物２記載事項との共通性について検討する。
　刊行物１発明と刊行物２記載事項とは、いずれもスロットマシン（回胴式遊技機）に関し、回転リール（回転ドラム）と、回転リールを回転させるためのモータ（駆動モータ）と、モータに電気的接続ケーブル（モータ用配線）により接続されるコネクタが設けられている制御基板（コネクタ端子を接続する端子が設けられている端子基板）を備える点において、構成が共通している。
　加えて、刊行物２の段落【００１２】に記載された、配線が回転ドラムの回転の邪魔とならないようにするという課題は、モータが回転リールの内側に収容されて、モータとコネクタとをケーブルにより接続するスロットマシンに関する刊行物１発明においても、内在する課題であるといえる。
（ウ）したがって、刊行物１発明において、刊行物２記載事項における「モータ取付板３６」、「貫通穴」、「係止金具」に係る構成を採用して、「各回転リール(6a)」と「各モータ(10)」からなる一体の組の各々が、貫通穴と係止金具とが設けられ「モータ(10)」を一面に止着するモータ取付板を有するようにすることは、当業者にとって格別困難なことではない。
　また、刊行物１発明においては、「リール枠体(61)」が「両側板部(61c)(61d)間に」「３個の回転リール(6a)をそれぞれ回転可能に枢支」しているから（構成ｃ）、「３個の回転リール(6a)」は、「リール枠体(61)」の「両側板部(61c)(61d)間」にあり、他方、「回転リール制御基板(11)」は「リール枠体(61)の天板部(61b)に載置され」ている（構成ｄ）。したがって、「３個の回転リール(6a)」及び「回転リール制御基板(11)」それぞれの「リール枠体(61)」との位置関係を考慮すると、「回転リール制御基板(11)」が「各回転リール(6a)」よりも上方に位置することは明らかである。
　そうすると、刊行物１発明において刊行物２記載事項を採用した際に、「各モータ(10)からの電気的接続ケーブル」を上方に向けて配置すべく、「モータ(10)」と貫通穴及び係止金具との位置関係に関して、「モータ(10)」よりも上方に貫通穴及び係止金具を設けたり、係止金具が係止する電気的接続ケーブルの状態に関して、電気的接続ケーブルを上方に向けて延出した状態で保持することも、通常の創作能力に基づいて当業者が適宜なし得たことにすぎない。
　よって、刊行物１発明において刊行物２記載事項を採用して、上記相違点１に係る本願発明の構成とすることは、当業者が容易に想到し得たことである。
イ　上記相違点２について検討する。
　スロットマシンの技術分野において、リールと一体をなしリールモータを支持する板を設けること、及び前面が開口してリールを保持する部材の内側底面に、当該板の前後方向への移動を案内する部位を設けて、リールの配置を容易なものとすることは、例えば、特開２００４−２０１９８０号公報（段落【０２１７】、【０２６４】、【０２６５】、【０２６８】、【０２９７】、【０３０６】、図３４、図４４には、内部にリール５１Ｌ、５１Ｃ、５１Ｒを収容でき、前面が開口する箱状のリール収容箱体５２の底壁５２ｃの上面には、各リール５１Ｌ、５１Ｃ、５１Ｒを組み付ける際に、リールモータ５４を取り付けるためのリール体の各支持板６００Ｌ、６００Ｃ、６００Ｒを後方の設置位置に向けて案内する案内手段としての左右一対の案内規制片４６５Ｌ、４６５Ｃ、４６５Ｒ、４６６Ｌ、４６６Ｃ、４６６Ｒが上向きに突設されていることが記載されている。）、特開２００４−１５４１９１号公報（段落【００９７】、【０１３６】、【０１３７】、【０１４０】、【０１７０】、【０１７９】、図１３、図１６には、上記特開２００４−２０１９８０号公報と同様の内容が記載されている。）、特開２００４−１３５７１０号公報（段落【００９９】、【０１３８】、【０１３９】、【０１４２】、【０１６８】、図１３、図１７には、上記特開２００４−２０１９８０号公報と同様の内容が記載されている。）、特開２００４−５７３３２号公報（段落【０１３９】−【０１４１】、図２、図１５には、ベースユニット３０１は、前面が開放する筺状に形成されており、その内面側の下面には、前後方向に、予めリール５１、リールモータ５４、リールＬＥＤ５５ａ〜ｃ、リールセンサ５６が一体に組み付けられたユニットであるリールユニット３０２Ｌ、３０２Ｃ、３０２Ｒを取付けるための複数列のガイド溝３５１が形成されていることが記載されている。図２、図１５からは、リールユニット３０２Ｌ、３０２Ｃ、３０２Ｒにおいて、リール５１と一体をなしリールモータ５４を支持する板の存在が看取され、また、上記ガイド溝３５１が当該「板」をガイドすることは、図１５を見れば自明である。）、特開２００６−３０５０２０号公報（段落【０４７１】、【０４７７】、【０４７８】、【０４９８】、【０５０７】、【０５４８】、【０５５１】、【０５５７】、図８０、図８３には、前面が開口する箱状に形成され、リール体が組み付けられるリールユニット枠５５０の膨出部５５１を構成する下平板部５５２ｃの内面に、リールモータを固定するリール体の支持板６００Ｌ、６００Ｃ、６００Ｒを後方に向けて案内された状態でスライド移動させるガイド片５５７Ｌｃ、５５７Ｃｃ、５５７Ｒｃを突設することが記載されている。）に示されるように、本願の出願遡及日前における周知技術である。
　他方、刊行物１発明において、少なくとも「スロットマシン」の製造時に、「底部を形成する底板部(61a)、上部を形成する天板部(61b)、側部を形成する両側板部(61c)(61d)及び後部を形成する後板部(61e)とを有する、前面が開放する正面視矩形をなす」「リール枠体(61)」の「両側板部(61c)(61d)間」すなわち内側に、「３個の回転リール(6a)」及び「各モータ(10)」を配置する作業が必要となることは明らかである。
　そうすると、刊行物１発明において、製造時に「リール枠体(61)」の内側へ「３個の回転リール(6a)」及び「各モータ(10)」を配置する作業を容易なものとするために、上記周知技術を採用し、「３個の回転リール(6a)」の各々と一体をなし「各モータ(10)」を支持する板（リール支持板）を設け、かつ「リール枠体(61)」の「底板部(61a)」の上面に、当該「板」の前後方向への移動を案内する部位（案内部）を設けて、上記相違点２に係る本願発明の構成とすることは、当業者が容易に想到し得たことである。
　したがって、本願発明は、刊行物１発明、刊行物２記載事項、及び周知技術に基づいて、当業者が容易に発明することができたものである。
ウ　ところで、ここまでの説示は、刊行物１発明の「回転リール制御基板(11)」が本願発明の「基板」に相当するものとして判断したものであるが、刊行物１においては、上記「回転リール制御基板(11)」と「サブリール基板(11a)」（段落【００４２】、図６）とで一つの基板を構成している、との見方ができないわけではなく、そのような見方をした場合、モータ出力コネクタ(112)及びモータ出力コネクタ(113)は、「回転リール制御基板(11)」と「サブリール基板(11a)」とで構成される基板の一側方寄りに設けられているとはいえなくなる。
　そこで、そのような見方をしたと仮定した場合についても検討すると、刊行物１発明は次のように認定される。
「ａ　遊技機(１)としてのスロットマシンであって、
ｂ、ｆ’３個の回転リール(6a)と、各回転リール(6a)の内側に収容され、各回転リール(6a)を回転させるための各モータ(10)と、
ｃ　両側板部(61c)(61d)間に、内側に各回転リール(6a)を回転させるための各モータ(10)が収容された３個の回転リール(6a)をそれぞれ回転可能に枢支し、前面が開放するリール枠体(61)と、
ｄ　リール枠体(61)の天板部(61b)に載置され、各モータ(10)からの電気的接続ケーブルが接続される３個のモータ出力コネクタ(112)〜(114)が設けられている、回転リール制御基板(11)とサブリール基板(11a)からなる基板と、
　を備え、
ｅ’３個のモータ出力コネクタ(112)〜(114)のうち、モータ出力コネクタ(112)及びモータ出力コネクタ(113)は、回転リール制御基板(11)の一側方寄りに設けられ、
ｇ’リール枠体(61)は、底部を形成する底板部(61a)、上部を形成する天板部(61b)、側部を形成する両側板部(61c)(61d)及び後部を形成する後板部(61e)とを有する、前面が開放する正面視矩形をなす、
ｈ　スロットマシン。」
　そして、本願発明と刊行物１発明は、上記（５）で検討した相違点１及び相違点２に加えて、次の点において相違する。
（相違点３）
　「前記複数のコネクタのうち２つのコネクタ」に関して、本願発明は、前記基板の一側方寄りに設けられ」るのに対して、刊行物１発明は、回転リール制御基板(11)の一側方寄りに設けられるものの、回転リール制御基板(11)とサブリール基板(11a)からなる基板の一側方寄りに設けられない点。（構成Ｅ）
　まず、上記相違点１及び相違点２については、上記ア及びイでそれぞれ検討したとおり、刊行物１発明において刊行物２記載事項を採用して、また刊行物１発明において周知技術を採用して、上記相違点１及び相違点２に係る本願発明の構成とすることは、当業者が容易に想到し得たことである。
　次に、上記相違点３について検討する。
　刊行物１発明と刊行物３記載事項とは、リール及びモータを支持する枠体の天板部に、３つの同種のコネクタが設けられた基板を配置するスロットマシンである点において共通するから、刊行物１発明の「回転リール制御基板(11)とサブリール基板(11a)からな」り、「３個のモータ出力コネクタ(112)〜(114)のうち、モータ出力コネクタ(112)及びモータ出力コネクタ(113)は、回転リール制御基板(11)の一側方寄りに設けられ」る基板に換えて、刊行物３記載事項の、３つのコネクタのうち２つのコネクタが一側方寄りに設けられ、１つのコネクタが他側方寄りに設けられた基板を備えるようにし、上記相違点３に係る本願発明の構成とすることは、当業者が容易に想到し得たことである。
　したがって、仮に刊行物１において「回転リール制御基板(11)」と「サブリール基板(11a)」とで一つの基板を構成しているとしてみても、刊行物１発明に刊行物２記載事項、刊行物３記載事項及び周知技術を適用して本願発明の構成とすることは、当業者が容易に想到し得たことである。
（７）請求人の主張について
ア　請求人は、平成３０年４月２５日付け意見書において、「したがって、刊行物１に刊行物２を適用したとしても、刊行物２のランプ用配線４３は前方に延出されるものであって、本発明１のようにリールモータの配線を上方に向けて延出するものではない以上、本発明１の「該リール支持板における前記リールモータよりも上方には、該リールモータの配線を前記一面側から他面側に引出すための配線引出穴と、該他面側に引出した配線を上方に向けて延出した状態で保持する配線押えと、が設けられ、」なる構成において、「前記リール体保持部材の内側底面には、前記リール支持板の前後方向への移動を案内する案内部が設けられている」なる構成には到達し得ず、リール体保持部材内において３つのリール体それぞれの位置関係を適切に保ち、配線引出穴を介して上方に向けて延出される３つのリールモータの配線の位置関係も適切に保つことで、該リールモータの配線をリール体保持部材の上部に設けたコネクタに容易に接続するという技術思想には到達し得ません。」と主張する。
　しかしながら、「該リール支持板における前記リールモータよりも上方には、該リールモータの配線を前記一面側から他面側に引出すための配線引出穴と、該他面側に引出した配線を上方に向けて延出した状態で保持する配線押えと、が設けられ、」なる構成については、上記（６）アで検討したように、刊行物１発明及び刊行物２記載事項に基づいて当業者が容易に想到し得たことであり、「前記リール体保持部材の内側底面には、前記リール支持板の前後方向への移動を案内する案内部が設けられている」なる構成については、上記（６）イで検討したように、刊行物１発明及び周知技術に基づいて当業者が容易に想到し得たことである。
　したがって、請求人の主張する「リール体保持部材内において３つのリール体それぞれの位置関係を適切に保ち、配線引出穴を介して上方に向けて延出される３つのリールモータの配線の位置関係も適切に保つことで、該リールモータの配線をリール体保持部材の上部に設けたコネクタに容易に接続するという技術思想」は、刊行物１発明、刊行物２記載事項、及び周知技術に基づいて到達し得たものであるから、請求人の主張は採用することができない。
イ　請求人は、同意見書において、「これにより本発明１は、リール体保持部材の内側底面にリール支持板の前後方向への移動を案内する案内部を設けることにより、リール体保持部材に３つのリール体を組み付ける際に作業が容易になることに加えて、リール体保持部材内において３つのリール体それぞれの位置関係を適切に保ち、配線引出穴を介して上方に向けて延出される３つのリールモータの配線の位置関係も適切に保つことで、該リールモータの配線をリール体保持部材の上部に設けたコネクタに容易に接続することができる、という効果を奏します。」、及び「そして、本発明１は上記構成を有することにより、刊行物１、２に記載された発明からは予測し難い特有の上記効果を奏するものです。」と主張する。
　しかしながら、「リール体保持部材の内側底面にリール支持板の前後方向への移動を案内する案内部を設けることにより、リール体保持部材に３つのリール体を組み付ける際に作業が容易になることに加えて、リール体保持部材内において３つのリール体それぞれの位置関係を適切に保」つという効果は、上記（６）イで検討した周知技術により奏されるものであり、その際に「３つのリールモータの配線の位置関係も適切に保」たれることは自明である。また、「配線引出穴を介して上方に向けて延出される」ことは、上記（６）ア（ウ）で検討したとおり、刊行物１発明において刊行物２記載事項を採用して当業者が容易に想到し得たことである。そうすると、「該リールモータの配線をリール体保持部材の上部に設けたコネクタに容易に接続することができる」という効果も、刊行物１発明、刊行物２記載事項、及び周知技術から予測される範囲のものといえる。
　したがって、請求人の主張する効果は、「刊行物１、２に記載された発明からは予測し難い特有」のものということはできない。
　よって、請求人の主張は採用することができない。
（８）むすび
　以上のとおりであるから、本願発明は、刊行物１発明、刊行物２記載事項、及び周知技術に基づいて、又は刊行物１発明、刊行物２記載事項、刊行物３記載事項及び周知技術に基づいて、当業者が容易に発明することができたものであり、特許法第２９条第２項の規定により特許を受けることができない。 
　
 　したがって、本願は拒絶されるべきものである。　
　
 　よって、結論のとおり審決する。